(57)【要約】【課題】前方への突出量が少なく、且つ視認性よく光を放出することができる防災用表示灯を実現する。【解決手段】防災用表示灯１００は、グローブ１０の導光板部１１の内面の凹部１３において発光部３１が発光した光を、同心円状の複数のリング溝１４で反射させたり、反射シート４０の反射面４０ａで反射させたりするなどして、導光板部１１で導光しつつ、防災用表示灯１００の発光面となる導光板部１１の外面から光を出射するようにして、視認性よく光を放出することができる。特に、導光板部１１の平坦な外面を壁面Ｗと平行となるように設置すれば、前方への突出量が少なく、導光板部１１の外面に埃などが積もり難くなるので、従来技術の表示灯のようにグローブに付着する埃などの汚れによって表示灯の発光面の明るさが低減してしまうことは殆どなく、好適に光を放出することができる。【選択図】図１
2018137061.tif 000002
【特許請求の範囲】
【請求項１】
所定の壁面に設置される透光性を有するグローブと、発光部が配設されている基板と、を備えた防災用表示灯であって、
前記グローブは、外面が平坦な形状あるいは外面が緩やかな曲面の皿状に隆起した形状に形成された導光板部を有し、
前記基板は、前記発光部を前記導光板部の内面に向けて、前記導光板部に取り付けられており、
前記グローブは、少なくとも前記導光板部を視認可能に前記壁面に取り付けられることを特徴とする防災用表示灯。
【請求項２】
前記導光板部の内面には、その中央から外側に寄った位置に凹部が形成されており、
前記基板は、前記発光部の少なくとも一部を前記凹部に挿し入れた状態で前記導光板部に取り付けられていることを特徴とする請求項１に記載の防災用表示灯。
【請求項３】
前記凹部は、前記導光板部の内面に複数形成されており、
前記複数の凹部は前記内面の中央から略同じ距離の位置にあることを特徴とする請求項２に記載の防災用表示灯。
【請求項４】
前記凹部は、前記導光板部の内面の中央側を囲う配置に環状に形成されていることを特徴とする請求項２に記載の防災用表示灯。
【請求項５】
前記凹部の底面には、前記基板の表面に反射面を向けた反射部が設けられており、
前記基板の表面には、白色系の色を呈する層又は鏡面状を呈する層が設けられていることを特徴とする請求項２〜４のいずれか一項に記載の防災用表示灯。
【請求項６】
前記反射部は、前記発光部と接することなく、正面視した際に前記発光部を隠す配置に設けられていることを特徴とする請求項５に記載の防災用表示灯。
【請求項７】
前記凹部は、その凹部の縁から、該凹部の底面に向かって下る傾斜面を有していることを特徴とする請求項２〜６のいずれか一項に記載の防災用表示灯。
【請求項８】
前記導光板部の内面には、前記基板が内挿されて保持される円筒状の枠部と、前記枠部と同心円を成す複数の環状溝が形成されており、
前記環状溝は、前記内面の中央側に向かって溝底から上る傾斜面と、前記内面の中央から遠ざかる外側に向かって溝底から上る傾斜面とを有していることを特徴とする請求項１〜７のいずれか一項に記載の防災用表示灯。
【請求項９】
前記導光板部の内面に反射面を向けた反射シートが配設されていることを特徴とする請求項１〜８のいずれか一項に記載の防災用表示灯。
【請求項１０】
前記導光板部の外面側の周縁の角は、面取り加工又はＲ加工されていることを特徴とする請求項１〜９のいずれか一項に記載の防災用表示灯。
【請求項１１】
前記導光板部の外面には、複数の環状溝が同心状に形成されており、
前記環状溝は、前記外面の中央側に向かって溝底から上る傾斜面と、前記外面の中央から遠ざかる外側に向かって溝底から上る傾斜面とを有していることを特徴とする請求項１〜１０のいずれか一項に記載の防災用表示灯。
【発明の詳細な説明】
【技術分野】
【０００１】
本発明は、防災設備の場所を示すために、防災設備やその近傍に取り付けられる防災用表示灯に関する。
【背景技術】
【０００２】
従来、消火栓装置などの防災設備には、火災時に消火栓がある場所や、発信機の位置を示すための表示灯が備えられている。
例えば、防災設備から横方向に離れた位置からもその場所を識別できるように、左右方向へより多くの光を出射するためのプリズムを備えた表示灯が知られている（例えば、特許文献１参照。）。
【先行技術文献】
【特許文献】
【０００３】
【特許文献１】特開２００１−３５１４０３号公報
【発明の概要】
【発明が解決しようとする課題】
【０００４】
しかしながら、上記特許文献１の表示灯の場合、取り付けられた壁面からグローブが前方へドーム状に突出しているので、そのグローブ上に埃などが積もって付着してしまうことがある。
そのため、定期的な清掃を行ってグローブに付着した埃などの汚れを拭き取るようにしなければ、表示灯の明るさが低減してしまうという問題があった。
特に、近時一般的に用いられている砲弾型（卵形半球状）の表示灯のように壁面からの突出量が多いものだと、移動する人間や機器が接触する虞があるという問題があった。
【０００５】
また、社会的要請（通行・運搬時の障害になり難いことや、空間デザイン上での美観の向上など）で、防災用表示灯としての必須用件（設置基準など）を満たしつつ、突出量が極めて少ないものが求められていることに加え、極めて少ない突出量であっても視認範囲がより広角な（より壁際の側方においても視認性のよい）防災用表示灯の実現が求められている。
【０００６】
本発明の目的は、前方への突出量が少なく、且つ視認性よく光を放出することができる防災用表示灯を提供することである。
【課題を解決するための手段】
【０００７】
以上の課題を解決するため、請求項１に記載の発明は、
所定の壁面に設置される透光性を有するグローブと、発光部（発光手段）が配設されている基板と、を備えた防災用表示灯であって、
前記グローブは、外面が平坦な形状あるいは外面が緩やかな曲面の皿状に隆起した形状に形成された導光板部を有し、
前記基板は、前記発光部（発光手段）を前記導光板部の内面に向けて、前記導光板部に取り付けられており、
前記グローブは、少なくとも前記導光板部を視認可能に前記壁面に取り付けられることを特徴とする。
【０００８】
上記構成の防災用表示灯であれば、導光板部の内面に向けて発光部（発光手段）が発光した光を、透光性を有する材料からなる導光板部で導光しつつ、導光板部の外面から出射するようにして、視認性よく光を放出することができる。
特に、グローブの導光板部は、外面がほぼ平坦な形状を有しているので、そのグローブの導光板部を壁面から視認可能に露出させた状態に取り付けることで、前方への突出量が少なく、導光板部の外面に埃などが積もり難くなるので、従来技術の表示灯のようにグローブに付着する埃などの汚れによって表示灯の発光面の明るさが低減してしまうことは殆どなく、好適に光を放出することができる。
また、透光性を有する材料からなる導光板部が壁面に視認可能に取り付けられていれば、導光した光を導光板部の外面および外周側から出射するので、防災用表示灯の正面と側面の両方から視認可能となり、一方の側面から正面、その正面から他方の側面に亘る広い範囲で発光を視認することができるので、極めて少ない突出量であっても視認範囲がより広角な（より壁際の側方においても視認性のよい）防災用表示灯を実現することができる。
【０００９】
請求項２に記載の発明は、請求項１に記載の防災用表示灯において、
前記導光板部の内面には、その中央から外側に寄った位置に凹部が形成されており、
前記基板は、前記発光部の少なくとも一部を前記凹部に挿し入れた状態で前記導光板部に取り付けられていることを特徴とする。
【００１０】
上記構成によれば、導光板部の凹部において発光部が発光した光を、透光性を有する材料からなる導光板部の内面の境界で反射させるなどして、導光板部の凹部から離間する方向に拡散させるように導光することができる。
特に、導光板部の内面に形成されている凹部は、その内面の中央から外側に寄った位置にあるので、導光板部の凹部から離間する方向に拡散される光は、導光板部の外周側と中央側にそれぞれ広がるように導光されるようになり、導光板部の外面から視認性よく光を放出することができる。
そして、導光板部の外周側からより多くの光を放出する場合には、導光板部の内面の中央からより遠い位置に凹部を形成するようにすればよい。
また、導光板部の中央側からより多くの光を放出する場合には、導光板部の内面の中央側に近い位置に凹部を形成するようにすればよい。
【００１１】
請求項３に記載の発明は、請求項２に記載の防災用表示灯において、
前記凹部は、前記導光板部の内面に複数形成されており、
前記複数の凹部は前記内面の中央から略同じ距離の位置にあることを特徴とする。
【００１２】
上記構成によれば、複数の凹部は導光板部の内面の中央から略同じ距離の位置にあるので、その複数の凹部から離間する方向に拡散される光は、導光板部の外周側に一様に広がるように導光されるとともに、導光板部の中央側にも一様に広がるように導光されるようになって、その光が導光板部の外周側にも中央側にも環状に広がるようになり、導光板部の外面から視認性よく光を放出することができる。
【００１３】
請求項４に記載の発明は、請求項２に記載の防災用表示灯において、
前記凹部は、前記導光板部の内面の中央側を囲う配置に環状に形成されていることを特徴とする。
【００１４】
上記構成によれば、凹部は導光板部の内面の中央側を囲う配置に環状に形成されているので、その環状の凹部から離間する方向に拡散される光は、導光板部の外周側に一様に広がるように導光されるとともに、導光板部の中央側にも一様に広がるように導光されるようになって、その光が導光板部の外周側にも中央側にも環状に広がるようになり、導光板部の外面から視認性よく光を放出することができる。
【００１５】
請求項５に記載の発明は、請求項２〜４のいずれか一項に記載の防災用表示灯において、
前記凹部の底面には、前記基板の表面に反射面を向けた反射部が設けられており、
前記基板の表面には、白色系の色を呈する層又は鏡面状を呈する層が設けられていることを特徴とする。
【００１６】
上記構成によれば、発光部から出射された光が、凹部の底面を抜けて直接導光板部の外面から出射しないようになっている。
そして、反射部の反射面で反射された光や、基板の表面で反射された光は、凹部の内周面から導光板部に入射して、導光板部の中心側から外周側に向かって導光されるようになる。
【００１７】
請求項６に記載の発明は、請求項５に記載の防災用表示灯において、
前記反射部は、前記発光部と接することなく、正面視した際に前記発光部を隠す配置に設けられていることを特徴とする。
【００１８】
上記構成によれば、導光板部の外面から正面側への直射光を放出させないようにして、正面視の光の強さを和らげるとともに、導光板部の外周側へ光が伝達され易くなる。
【００１９】
請求項７に記載の発明は、請求項２〜６のいずれか一項に記載の防災用表示灯において、
前記凹部は、その凹部の縁から、該凹部の底面に向かって下る傾斜面を有していることを特徴とする。
【００２０】
上記構成によれば、凹部の内周面が導光板部の内面に向かって広がる傾斜面となっているので、その傾斜面から入射した光が、導光板部の中心側から外周側に向かって伝達され易くなっている。
【００２１】
請求項８に記載の発明は、請求項１〜７のいずれか一項に記載の防災用表示灯において、
前記導光板部の内面には、前記基板が内挿されて保持される円筒状の枠部と、前記枠部と同心円を成す複数の環状溝が形成されており、
前記環状溝は、前記内面の中央側に向かって溝底から上る傾斜面と、前記内面の中央から遠ざかる外側に向かって溝底から上る傾斜面とを有していることを特徴とする。
【００２２】
上記構成によれば、基板を取り付けるための枠部が導光板部の内面に形成されているので、基板に配設されている発光部を導光板部の内面に向けて好適に配することができる。
また、上記構成によれば、導光板部が導光する光を、導光板部の内面に形成されている同心円状の複数の環状溝で反射させるなどして、導光板部の中心側や外周側に向かって導光しつつ、導光板部の外面から出射するようにして、視認性よく光を放出することができる。
【００２３】
請求項９に記載の発明は、請求項１〜８のいずれか一項に記載の防災用表示灯において、
前記導光板部の内面に反射面を向けた反射シートが配設されていることを特徴とする。
【００２４】
上記構成によれば、導光板部の凹部において発光部が発光した光を導光板部で導光したり、反射シートの反射面で反射させたりするなどして、導光板部の中心側から外周側に向かって導光しつつ、導光板部の外面から出射するようにして、視認性よく光を放出することができる。
【００２５】
請求項１０に記載の発明は、請求項１〜９のいずれか一項に記載の防災用表示灯において、
前記導光板部の外面側の周縁の角は、面取り加工又はＲ加工されていることを特徴とする。
【００２６】
上記構成によれば、導光板部の外面側において面取り加工又はＲ加工された面から出射される光は、防災用表示灯の正面と側面の両方から視認可能となる。
【００２７】
請求項１１に記載の発明は、請求項１〜１０のいずれか一項に記載の防災用表示灯において、
前記導光板部の外面には、複数の環状溝が同心状に形成されており、
前記環状溝は、前記外面の中央側に向かって溝底から上る傾斜面と、前記外面の中央から遠ざかる外側に向かって溝底から上る傾斜面とを有していることを特徴とする。
【００２８】
上記構成によれば、導光板部が導光する光を、導光板部の外面に形成されている同心円状の複数の環状溝で乱反射させるなどして、導光板部の外面から視認性よく光を放出することができる。
【発明の効果】
【００２９】
本発明によれば、前方への突出量が少なく、且つ視認性よく光を放出することができる防災用表示灯が得られる。
【図面の簡単な説明】
【００３０】
【図１】本実施形態の防災用表示灯を示す分解斜視図である。
【図２】防災用表示灯のグローブを示す正面図（ａ）、背面図（ｂ）、側面図（ｃ）である。
【図３】防災用表示灯のベース体を示す正面図（ａ）、背面図（ｂ）、側面図（ｃ）である。
【図４】防災用表示灯のグローブとベース体を示す断面図である。
【図５】グローブに基板と反射シートを取り付けた状態を示す断面図である。
【図６】グローブの導光板部における光の伝達経路の一例を示す説明図である。
【図７】実施形態の防災用表示灯を壁面に取り付けた状態を断面視して示す説明図（ａ）（ｂ）である。
【図８】防災用表示灯のグローブに関する変形例を示す断面図である。
【図９】防災用表示灯のグローブに関する変形例を示す断面図である。
【図１０】防災用表示灯のグローブに関する変形例を示す断面図である。
【図１１】防災用表示灯のグローブに関する変形例を示す背面図（ａ）と断面図（ｂ）である。
【図１２】防災用表示灯のグローブに関する変形例を示す背面図（ａ）と断面図（ｂ）である。
【図１３】防災用表示灯のグローブに関する変形例を示す背面図（ａ）と断面図（ｂ）と、別の変形例を示す断面図（ｃ）である。
【図１４】防災用表示灯のグローブに関する変形例を示す背面図である。
【発明を実施するための形態】
【００３１】
以下、図面を参照して、本発明に係る防災用表示灯の実施形態について詳細に説明する。但し、以下に述べる実施形態には、本発明を実施するために技術的に好ましい種々の限定が付されているが、本発明の範囲を以下の実施形態及び図示例に限定するものではない。
防災用表示灯は、防災設備の場所を示すために、防災設備やその近傍に取り付けて使用される灯具である。
【００３２】
本実施形態の防災用表示灯１００は、図１に示すように、所定の壁面に設置されるグローブ１０と、グローブ１０が取り付けられるベース体２０と、発光部３１が配設されている基板３０と、グローブ１０に配設される円環状の反射シート４０と小円状の反射シート５０等を備えている。
【００３３】
グローブ１０は、例えば、ポリカーボネート製の部材であり、透光性（光透過性）を有している。特に、防災用表示灯に用いるグローブ１０であるので、赤色に着色されたポリカーボネート材料を用いている。また、このグローブ１０には、ポリカーボネート製品に光拡散性を付与する光拡散材（例えば、帝人株式会社製、難燃光拡散グレード）が含有されている。
グローブ１０は、図１、図２（ａ）（ｂ）（ｃ）、図４に示すように、平板状の導光板部１１と、導光板部１１の外縁よりも内側に位置するように導光板部１１の内面に立設されている円筒部１２を有している。
円筒部１２の外周面には、後述するベース体２０の円筒部２２の雌ネジ２２ａと螺着する雄ネジ１２ａが形成されている。
【００３４】
導光板部１１は、円盤形状を呈しており、外面は平坦に形成されている。
導光板部１１の外面側には、その周縁の角が面取りされてなるテーパ面１が設けられている。
なお、導光板部１１の外面とテーパ面１とがなす角度は、例えば４５°である。
【００３５】
導光板部１１の内面には、基板３０を取り付けるための円筒状の枠部１５が設けられている。
枠部１５の内周面には、基板３０を嵌合させるためのリブ１５ａが設けられている。
この枠部１５のリブ１５ａに基板３０を嵌合させることで、枠部１５に基板３０が内挿されて保持されるようになっている。こうすることで、基板３０に配設されている発光部３１を導光板部１１の内面に向けて好適に配することができる。
【００３６】
また、導光板部１１の内面には、枠部１５と同心円を成す複数の環状溝としてのリング溝１４が設けられている。
各リング溝１４（１４ａ、１４ｂ）は、導光板部１１の内面の中央側に向かって溝底から上る傾斜面と、導光板部１１の内面の中央から遠ざかる外側に向かって溝底から上る傾斜面とを有している。これら傾斜面と導光板部１１の外面とがなす角度は、例えば４５°である。
【００３７】
また、導光板部１１の内面には、その中央から外側に寄った位置に凹部１３が形成されている。
具体的には、導光板部１１の内面の中央から外側に寄った位置に複数（本実施形態では４つ）凹部１３が形成されており、その複数の凹部１３は、導光板部１１の内面の中央から同じ距離の位置にあるように形成されている。
これら複数（本実施形態では４つ）凹部１３は、枠部１５よりも内側に形成されている。
各凹部１３は、その凹部の縁よりも小さな底面１３ａに向かって下る傾斜面１３ｂを有している。この傾斜面１３ｂと導光板部１１の外面とがなす角度は、例えば４５°である。
【００３８】
ここで、導光板部１１の内面において、円筒部１２の内側の領域が第一領域、円筒部１２の外側の領域が第二領域とされている。
そして、第一領域にある第一リング溝１４ａは、間隔をあけて同心円状に設けられた断面逆Ｖ字形状を呈する環状の凸部２の間に形成されており、環状の凸部２の間には導光板部１１の外面と平行な平面部３が設けられている。
また、第二領域にある第二リング溝１４ｂは、間隔をあけずに同心円状に設けられた断面Ｖ字形状を呈する環状の溝４によって形成されている。
なお、環状の凸部２は、導光板部１１の内面の基準面から隆起した形状に形成されており、環状の溝４は、導光板部１１の内面の基準面から窪んだ形状に形成されている。
換言すれば、環状の溝４は、平面部３と略同じ高さの面から窪むように形成されており、環状の溝４の境目の頂部が平面部３と略同じ高さになっている。
【００３９】
ベース体２０は、図１、図３（ａ）（ｂ）（ｃ）、図４に示すように、底部２１と、底部２１の周縁から立設されている円筒部２２を有している。
円筒部２２の内周面には、グローブ１０の円筒部１２の雄ネジ１２ａと螺着する雌ネジ２２ａが形成されている。
底部２１の中央には、基板３０に接続されている配線３３などが通される中央孔２１ａが形成されている。
また、底部２１には、ベース体２０を壁面に固定する際に、ネジやボルトを通すための複数の小孔２１ｂが形成されている。
このベース体２０は、グローブ１０と同じ材料（例えば、ポリカーボネート）からなる部材である。
【００４０】
図１、図５に示すように、基板３０の表面３０ａには、発光部３１（発光手段）としてのＬＥＤ（light emitting diode）が実装されている。
また、図５に示すように、基板３０の裏面には、電源ＩＣ３２が実装され、また配線３３が接続されている。
なお、防災用表示灯１００などの防災設備は、ＤＣ２４Ｖ電源を用いて２４時間監視を行うため、低消費電力にて実現することが好ましく、さらに防災設備の表示灯として十分な視認性を有することが好ましいので、発光部３１としてＬＥＤを採用した。このＬＥＤは直列接続にて最大８個程度実装可能である。本実施形態では、導光板部１１の内面の４つ凹部１３に対応するように、４つのＬＥＤ（発光部３１）を基板３０に実装した。
【００４１】
そして、図５に示すように、基板３０は、発光部３１を導光板部１１の内面の凹部１３に向けて枠部１５に嵌め込まれ、導光板部１１に取り付けられている。具体的には、発光部３１の発光部位の先端側が凹部１３内に挿し入れられた状態となるように取り付けられている。
特に、凹部１３の底面１３ａには、基板３０の表面３０ａに反射面５０ａを向けた反射部としての反射シート５０が配設されており、基板３０の表面３０ａは、光の反射率を高めるように白色系の色に着色されている。
凹部１３の底面１３ａに反射シート５０を設けたことで、基板３０の発光部３１から出射された光が、凹部１３の底面１３ａを抜けて直接導光板部１１の外面から出射しないようになっている。
なお、基板３０の表面３０ａに白色系の色を呈する層が設けられていることに限らず、基板３０の表面３０ａには、鏡面状を呈する層が設けられていてもよい。鏡面状を呈する層は、例えば、クロムメッキによって形成することができる。
【００４２】
そして、反射シート５０の反射面５０ａで反射された光や、基板３０の表面３０ａで反射された光は、凹部１３の傾斜面１３ｂから導光板部１１に入射するようになる。
また、枠部１５の内側において導光板部１１の内面から出射した光は、基板３０の表面３０ａで反射されて導光板部１１に戻るようになっている。
なお、反射シート５０は、発光部３１と接することなく、正面視した際に発光部３１を隠す配置に設けられている。こうすることで、導光板部１１の外面から正面側への直射光を放出させないようにして、正面視の光の強さを和らげるとともに、導光板部１１の外周側へ光が伝達され易くなる。
【００４３】
また、図５に示すように、導光板部１１の内面の第一領域であって、枠部１５と円筒部１２の間の領域には、複数の第一リング溝１４ａを覆うように、導光板部１１の内面に反射面４０ａを向けた反射シート４０が配設されている。
反射シート４０には、中央開口４１が形成されており、その中央開口４１に枠部１５を通して、反射シート４０が導光板部１１の内面に配設されている。
この反射シート４０の反射面４０ａが導光板部１１の内面に向けて配設されているので、枠部１５と円筒部１２の間において導光板部１１の内面から出射した光は、反射シート４０の反射面４０ａで反射されて導光板部１１に戻るようになっている。
【００４４】
次に、本実施形態の防災用表示灯１００の光学的な機能について説明する。
【００４５】
図５に示したように、グローブ１０の導光板部１１の内面には、円環状の反射シート４０および小円状の反射シート５０と、発光部３１が配設されている基板３０とが取り付けられている。
導光板部１１の内面の枠部１５に取り付けられている基板３０の発光部３１を発光させると、図６に示すように、発光部３１から出射された光は、反射シート５０の反射面５０ａで反射したり、基板３０の表面３０ａで反射したりするなどして、凹部１３の傾斜面１３ｂから導光板部１１に入射する。また、発光部３１から直接傾斜面１３ｂに向かって導光板部１１に入射する光もある。
【００４６】
そして、グローブ１０は光透過性を有する材料から成るので、凹部１３の傾斜面１３ｂから導光板部１１に入射した光は、凹部１３から離間する方向に拡散するように導光され、導光板部１１の外周側や中央側に向かって導光されて伝達されていく。
特に、凹部１３の内周面が導光板部１１の内面に向かって広がる傾斜面１３ｂとなっているので、傾斜面１３ｂから導光板部１１に光が入射し易くなっており、入射した光が導光され易く拡散され易くなっている。
この光の拡散過程で導光板部１１の外面から出射した光が、防災用表示灯１００の照射光として認識されるようになる。
【００４７】
例えば、図６に示すように、傾斜面１３ｂから導光板部１１に入射した光の一部が、導光板部１１の外面から出射されるようになる。
また、図６に示すように、導光板部１１の外面側（具体的には、導光板部１１と空気との境界）で内面に向かって反射した光は、基板３０の表面３０ａや反射シート４０の反射面４０ａで反射され、導光板部１１の外面のより外周側から出射されるようになる。
【００４８】
また、導光板部１１の外面境界での反射光のうち、第一リング溝１４ａの平面部３に向かった光の一部は、平面部３での境界（導光板部１１と空気との境界）で反射して導光板部１１の外面に向かうようになるので、第一リング溝１４ａが形成されている導光板部１１の第一領域では、導光板部１１の外周側に向かって光が伝達され易くなっている。
【００４９】
また、導光板部１１の外面境界での反射光のうち、第二リング溝１４ｂに向かった光は、その境界（導光板部１１と空気との境界）で反射され、導光板部１１の外面から出射されるようになる。
特に、第二リング溝１４ｂは、間隔をあけずに同心円状に設けられた断面略Ｖ字形状を呈する環状の溝４によって形成されているため、その凹凸で光が乱反射され易く、導光板部１１の外面から光が出射され易くなっている。
【００５０】
また、導光板部１１の外面の外周縁には、周縁の角が面取り加工されてなるテーパ面１が設けられているので、そのテーパ面１からも光が出射される。このテーパ面１から出射される光は、防災用表示灯１００の正面と側面の両方から視認可能となる。
また、導光板部１１の外周面からも光が出射され、防災用表示灯１００の側面から視認可能となる。
なお、導光板部１１の外面側の周縁の角は、Ｒ加工されていてもよい。Ｒ加工されてなるＲ面から出射される光も、防災用表示灯１００の正面と側面の両方から視認可能となる。
【００５１】
こうして、導光板部１１中を導光された光は、導光板部１１の外面の各部から出射される。
なお、上記した反射以外にも、導光板部１１の各部（境界部分）で光は反射されているが、その説明は割愛する。
また、図６の説明図では、光の屈折に関しては無いものとして図示しており、その光の屈折についての説明も割愛する。
【００５２】
このように、防災用表示灯１００は、発光部３１から出射された光をグローブ１０の導光板部１１で導光しつつ、導光板部１１の外面や外周面から出射するようにして、視認性よく光を放出して灯すことができる。
【００５３】
次に、本実施形態の防災用表示灯１００を壁面に取り付ける方法について説明する。
本実施形態の防災用表示灯１００を壁面に取り付ける方法には２つの様式がある。
【００５４】
まず、第１の様式について説明する。
防災用表示灯１００を取り付ける壁面Ｗを構成する壁材には、グローブ１０の円筒部１２の外径サイズに相当する円形の開口Ｈを形成しておく。
そして、壁面Ｗに形成された開口Ｈに対応させて壁材の裏側にベース体２０を配置し、その開口Ｈからグローブ１０の円筒部１２を挿し入れ、ベース体２０の円筒部２２にグローブ１０の円筒部１２を螺着する。
そして、図７（ａ）に示すように、ベース体２０の円筒部２２の縁とグローブ１０の導光板部１１の外縁部とで壁材を挟み込んだ状態にすることで、防災用表示灯１００を壁面Ｗに簡単に取り付けることができる。
【００５５】
次に、第２の様式について説明する。
防災用表示灯１００を取り付ける壁面Ｗ（壁材）に対し、ベース体２０をネジＮで固定する。
そして、図７（ｂ）に示すように、壁面Ｗの表側に固定されたベース体２０の円筒部２２に、グローブ１０の円筒部１２を螺着することで、防災用表示灯１００を壁面Ｗに取り付けることができる。
【００５６】
このように、本実施形態の防災用表示灯１００は、図７（ａ）に示す第１の様式と図７（ｂ）に示す第２の様式のいずれかの様式で壁面Ｗに取り付けることができるので、その取り付け箇所に適した様式や、ユーザーが所望する様式を選択して、防災用表示灯１００を壁面Ｗに設置することができる。
【００５７】
例えば、防災用表示灯１００を新設する箇所では、壁面Ｗに形成した円形の開口Ｈにグローブ１０の円筒部１２を挿し入れる第１の様式によって、防災用表示灯１００を壁面Ｗに簡単に取り付けることができる。
また、既存の表示灯（例えば、砲弾型の表示灯）を、防災用表示灯１００に付け替える箇所では、既存の表示灯が設置されていた壁面Ｗの既存の取り付け用ネジ穴を利用して、または新規にネジ穴を空けてベース体２０をネジＮで固定する第２の様式によって、防災用表示灯１００を壁面Ｗに取り付けることができる。
このように、防災用表示灯１００の１製品を、２つの取り付け様式で壁面Ｗに取り付けることができる。
なお、グローブ１０の雄ネジ１２ａの径とピッチは、従来の砲弾型の表示灯のベースの雌ネジと適合するように形成されているので、従来の表示灯のベースにグローブ１０のみを取り付けることも可能である。
【００５８】
そして、いずれの取り付け様式であっても、グローブ１０の導光板部１１の外面を壁面Ｗと平行に設置することができるので、防災用表示灯１００の発光面となる導光板部１１の外面には埃などが積もり難くなっている。
【００５９】
以上のように、本実施形態の防災用表示灯１００を壁面Ｗに取り付けて使用すれば、防災用表示灯１００の発光面となる導光板部１１の外面から好適に光を出射するようにして、視認性よく光を放出することができる。
特に、壁面Ｗと平行となる導光板部１１の外面には埃などが積もり難くなっているので、従来技術の表示灯のようにグローブに付着する埃などの汚れによって、発光面の明るさが低減してしまうことは殆どなく、好適に光を放出することができる。
【００６０】
また、この防災用表示灯１００は、ベース体２０を壁面Ｗの裏側に設置する第１の様式と、ベース体２０を壁面Ｗの表側に設置する第２の様式の、２つの様式のいずれかを選択して壁面Ｗに取る付けることができる。
いずれの様式であっても、導光板部１１の平坦な外面を壁面Ｗと平行となるように設置すれば、前方への突出量を少なくすることができる。
特に、ベース体２０を壁面Ｗの裏側に設置する第１の様式で防災用表示灯１００を壁面Ｗに取り付けた場合、グローブ１０の導光板部１１のみが壁面Ｗから視認可能に露出された状態であって、防災用表示灯１００が壁面Ｗから突き出ない状態に取り付けることができるので、防災用表示灯１００に側方から人や物がぶつかり難くすることができる。
つまり、防災用表示灯１００が通行の妨げになったり、防災用表示灯１００に側方から人や物がぶつかったりして破損してしまうのを防ぐことができる。
【００６１】
例えば、近時一般的に用いられている砲弾型（卵形半球状）の表示灯は、壁面から約６０ｍｍ突出して取り付けられている。また、ドアノブやインターホンなどの壁面からの突出量も約６０ｍｍである。
これに対し、第１の様式で防災用表示灯１００を壁面Ｗに取り付けた場合、防災用表示灯１００は、壁面Ｗから約３ｍｍ突出するようになっている（図４、５、６、７（ａ）、９、１０、１１、１２、１３。なお、図８では３〜８ｍｍ突出する）。
また、第２の様式で防災用表示灯１００を壁面Ｗに取り付けた場合、防災用表示灯１００は、壁面Ｗから約２２ｍｍ突出するようになっている（図７（ｂ）。なお、図８の場合は全体で約２２〜３０ｍｍ突出する）。
このように、いずれの取り付け様式であっても、防災用表示灯１００の壁面Ｗからの突出量を低減することができる。
【００６２】
なお、この防災用表示灯１００は、その取り付け位置から壁面Ｗに沿って約１０ｍ離れ、壁面Ｗに対し１５°の角度を成して防災用表示灯１００を見た際に、防災用表示灯１００（導光板部１１）の四分の一以上の面積が光っているように視認できるようになっている。
第１の様式で防災用表示灯１００を壁面Ｗに取り付けた場合、グローブ１０の導光板部１１のみが壁面Ｗから視認可能に露出された状態であるが、上記した視認性を有している。
これは、導光板部１１の外面の外周縁にテーパ面１を設けたことに加え、基板３０に４つのＬＥＤ（発光部３１）を実装したことによる。
基板３０に４つ以上のＬＥＤ（発光部３１）を設けるようにすれば、防災用表示灯１００を側方から視認した際の明るさが、ＬＥＤ（発光部３１）の実装箇所によらず安定するようになる。
【００６３】
また、防災用表示灯１００は、導光板部１１の内面に形成されている複数のリング溝１４に起因する同心円状の縞模様が、発光面となる導光板部１１に現れるようになっている。
そして、既存の砲弾型の表示灯を、防災用表示灯１００に付け替えた場合、防災用表示灯１００の導光板部１１に現れる同心円状の縞模様によって、平面状の導光板部１１が砲弾型の表示灯のように視認され易くなっている。
つまり、従来見慣れていた砲弾型の表示灯が防災用表示灯１００に付け替えられても、防災設備の場所を示す防災用表示灯１００として認識されるので、既存の砲弾型の表示灯を防災用表示灯１００に付け替えても違和感なく受け入れられ易いというメリットがある。
【００６４】
なお、本発明は上記実施形態に限られるものではない。
例えば、図８に示すように、グローブ１０の導光板部１１の外面は、緩やかな曲面の皿状に中央側が隆起した形状に形成された構造であってもよい。
なお、この導光板部１１における「外面が緩やかな曲面の皿状に隆起した形状」とは、導光板部１１の直径に対する壁面からの突出率が１５％以下の曲面形状に相当し、砲弾型や半球型とは異なるドーム形状であって、比較的平坦な曲面を有するドーム形状のことである。
【００６５】
また、図９に示すように、凹部１３の内周面は傾斜面でなく、導光板部１１の外面や凹部１３の底面１３ａに対し垂直な面であってもよい。
【００６６】
また、図１０に示すように、導光板部１１の凹部１３は、導光板部１１に形成した貫通穴１３ｃの一端を封止部材１６で塞いで設けたものでもよい。封止部材１６は、導光板部１１の外面に貼付されており、導光板部１１の貫通穴１３ｃを塞いでいる。
この封止部材１６は、透光性を有するものでも、遮光性を有するものでもよい。
また、封止部材１６における基板３０の表面３０ａと対向する面は、鏡面（反射面）に形成されていてもよい。
なお、円筒状の貫通穴１３ｃを図示して説明したが、すり鉢状の貫通穴であってもよい。
【００６７】
また、図１１（ａ）（ｂ）に示すように、円筒部１２の内周面に近接するような大きな径の枠部１５を形成し、反射シート４０を配設しない構成のものでもよい。
図１１（ａ）（ｂ）に示したグローブ１０（防災用表示灯）は、図２（ｂ）、図５に示したグローブ１０よりも大きな径の枠部１５を有している。このような大径の枠部１５を有するグローブ１０であれば、枠部１５よりも内側に形成する凹部１３の位置の自由度が上がる。
例えば、図１１（ａ）（ｂ）に示したグローブ１０では、導光板部１１の内面中央からの距離と、導光板部１１の外縁からの距離とが同じ位置に凹部１３が形成されている。
このように導光板部１１の内面において、導光板部１１の内面中央と導光板部１１の外縁との丁度中間に位置するように凹部１３が形成されていれば、凹部１３の傾斜面１３ｂから導光板部１１に入射し、凹部１３から離間する方向に拡散された光が、導光板部１１の外周側と中央側に向かってバランスよく導光されて、導光板部１１の外面から視認性よく光を放出することができる。
なお、円筒部１２の内周面に基板３０を嵌合させるためのリブを設けておけば、枠部１５を形成しない構成にすることも可能である。
【００６８】
また、図１２（ａ）（ｂ）に示すように、導光板部１１の内面の中央から外側に寄った位置に形成されている凹部１３は、導光板部１１の内面の中央側を囲う配置に形成された環状の凹部１３であってもよい。
このような環状の凹部１３であれば、凹部１３における外周側（外環側）の傾斜面１３ｂから導光板部１１に入射した光が、主に導光板部１１の外周側に向かって導光されて、導光板部１１の外面から視認性よく光を放出することができる。
【００６９】
また、図１３（ａ）（ｂ）（ｃ）に示すように、導光板部１１の内面に凹部１３が形成されていない構成のものでもよい。
導光板部１１の内面に凹部１３が形成されていない場合、導光板部１１の内面に向けた発光部３１を、その内面により近接させる配置にするように、基板３０を導光板部１１の枠部１５に取り付ける。
また、図１３（ｂ）に示すように、導光板部１１の外面に複数の環状溝である第三リング溝１４ｃが同心状に形成されていてもよい。
第三リング溝１４ｃは、導光板部１１の外面の中央側に向かって溝底から上る傾斜面と、導光板部１１の外面の中央から遠ざかる外側に向かって溝底から上る傾斜面とを有している。
この第三リング溝１４ｃは、間隔をあけずに同心円状に設けられた断面略Ｖ字形状を呈する環状の溝によって形成されているため、第三リング溝１４ｃの凹凸で光を乱反射させるように、導光板部１１の外面から光を放出することができる。
【００７０】
また、図１３（ｃ）に示すように、基板３０にすり鉢状のテーパ穴３０ｂを形成し、そのテーパ穴３０ｂの内部に発光部３１を実装するようにしてもよい。テーパ穴３０ｂは、基板３０の表面側に拡開した態様に形成されている。
このテーパ穴３０ｂの内部に実装された発光部３１は、基板３０の裏面側に設けたＬＥＤ用電極に接続された状態でテーパ穴３０ｂの内部に保持されている。
また、テーパ穴３０ｂの傾斜面には、例えばメッキ処理を施して形成された鏡面層が設けられており、その鏡面層によって光を導光板部１１の内面に向けて反射することが可能になっている。
このようにテーパ穴３０ｂの内部に発光部３１が保持されている基板３０の表面を導光板部１１の内面に密接させるように取り付けることによって、発光部３１を導光板部１１の内面により近接させた位置に配することができる。
【００７１】
なお、以上の実施の形態においては、４つの発光部３１を基板３０に実装し、その４つの発光部３１に対応する４つの凹部１３を導光板部１１の内面に形成したもの（図１〜図１１）を例に挙げて説明したが、本発明はこれに限定されるものではなく、発光部３１の数は任意であり、発光部３１の数に応じた複数の凹部１３を形成するようにしてもよい。
【００７２】
例えば、図１４に示すように、８つの凹部１３を導光板部１１の内面に形成してもよい。図１４に示したグローブ１０は、導光板部１１の内面の中央から比較的近い距離の位置にある４つの凹部１３と、導光板部１１の内面の中央から比較的遠い距離の位置にある４つの凹部１３を有している。なお、導光板部１１の内面の中央から比較的近い距離の位置にある４つの凹部１３は、その内面の中央から同じ距離の位置にあり、導光板部１１の内面の中央から比較的遠い距離の位置にある４つの凹部１３は、その内面の中央から同じ距離の位置にある。
このように、導光板部１１の内面の中央から同じ距離の位置にある４つの凹部１３が２組形成されていてもよい。
【００７３】
また、その他、具体的な細部構造等についても適宜に変更可能であることは勿論である。
【符号の説明】
【００７４】
１      テーパ面
２      環状の凸部
３      平面部
４      環状の溝
１０    グローブ
１１    導光板部
１２    円筒部
１２ａ  雄ネジ
１３    凹部
１３ａ  底面
１３ｂ  傾斜面
１３ｃ  貫通穴
１４    リング溝（環状溝）
１４ａ  第一リング溝
１４ｂ  第二リング溝
１４ｃ  第三リング溝
１５    枠部
１５ａ  リブ
１６    封止部材
２０    ベース体
２１    底部
２１ａ  中央孔
２１ｂ  小孔
２２    円筒部
２２ａ  雌ネジ
３０    基板
３０ａ  表面
３０ｂ  テーパ穴
３１    発光部
３２    電源ＩＣ
３３    配線
４０    反射シート
４０ａ  反射面
４１    中央開口
５０    反射シート（反射部）
５０ａ  反射面
１００  防災用表示灯
Ｎ      ネジ
Ｗ      壁面
Ｈ      開口
【図１】
2018137061.tif 000003
【図２】
2018137061.tif 000004
【図３】
2018137061.tif 000005
【図４】
2018137061.tif 000006
【図５】
2018137061.tif 000007
【図６】
2018137061.tif 000008
【図７】
2018137061.tif 000009
【図８】
2018137061.tif 000010
【図９】
2018137061.tif 000011
【図１０】
2018137061.tif 000012
【図１１】
2018137061.tif 000013
【図１２】
2018137061.tif 000014
【図１３】
2018137061.tif 000015
【図１４】
2018137061.tif 000016